(57)【特許請求の範囲】
【請求項１】
所要幅、奥行き及び長さとを有し、その正面板に切抜口を夫々所要間隔で形成された角パイプと；
両端に∩字形懸架具を一体に有し、該角パイプの背面板の下端に水平に固着された懸架用クランプと；
該角パイプの該背面板で該懸架用クランプの上部と最上部とに突設され、支柱に把持、固着される支柱固定用下部クランプ及び支柱固定用上部クランプと；
同じく該角パイプの該背面板で、該支柱固定用下部クランプの上端と該支柱固定用上部クランプの下部に突設された手摺兼背凭れ用下部クランプ及び手摺兼背凭れ用上部クランプと；
該手摺兼背凭れ用下部クランプと、該手摺兼背凭れ用上部クランプとに夫々設けられる手摺兼背凭れと；
該角パイプの該切抜口内に嵌合される幅と、踏み板を載せる所要長さとを有する水平板と、その外端を直角に上に曲げた片とを有し、該水平板の内端に該切抜口内に嵌合される該折曲片より相当長い垂直片を固着して前倒れ防止兼固着片を有し、該正面板の該切抜口に嵌合され、且つ該切抜口に嵌合、固着されるＬ字形踏み板用腕木と；所要建物の周囲に垂直に立てられる支柱に把持、固着されるクランプと、該クランプに一端を枢着され、他端に固定板を枢着された所要長さの2本の連結棒を有する該支柱固定金具と；
から成る簡易足場。
【請求項２】
該Ｌ字形踏み板用腕木を該角パイプの該切抜口から取外し自在とした事を特徴とする請求項１記載の簡易足場。
【請求項３】
所要建築物の角部の地面に、該建築物から所要距離を隔てて、且つ所要間隔で夫々支柱を垂直に建立する工程と；
該支柱の地面上所要高さに、横パイプを連結、固着する工程と；
該支柱の地面上所要高さに、該支柱固定金具の該クランプを把持、固着し、該支柱固定用金具の2本の該連結棒先端の該固定板を該建築物の各面に固着する工程と；
該角パイプの該背面板で該懸架用クランプの上部と、最上部とに突設された支柱固定用定用下部クランプ及び支柱固定用上部クランプとを、該支柱に把持、固着する工程と；
該横パイプに、該角パイプの該∩字形懸架具を懸架する工程と；
該Ｌ字形踏み板用腕木上に、該角パイプの該∩字形懸架具を懸架する工程と；
該Ｌ字形踏み板用腕木上に、踏み板を取付ける工程と；
該角パイプの該背面板の手摺兼背凭れ用下部クランプ及び同上部クランプとに夫々手摺兼背凭れを固着する工程と；
から成る請求項１記載の簡易足場の組立方法。
【発明の詳細な説明】
【０００１】
【産業上の利用分野】
この発明は、簡易足場及びその組立方法に関し、更に詳しくは建築足場に於いて作業を容易にし、所望に応じ所要階数上方に接続して建て上げられ、且つ作業員の安全を図る簡易足場及びその組立方法の改良に関するものである。
【０００２】
【従来の技術】
従来建築現場に於いては、作業を安全且つ効果的に実施出来る様にするため、所要建築建築物の周囲に、建築物に対して所要間隔で足場を設けている。その足場は、各種のものが提案されている。
【０００３】
【発明が解決しようとする課題】
通常足場は、建築物の周囲に所要間隔で設けられた縦パイプ（通称縦地）に、横パイプ（通称布地）等の部品間を針金、ロープ、ケーブル、鎖等で連結している。そして支柱と使用した場合は、縦パイプ（通称縦地）に、横パイプ（通称布地）を針金等で連結し、一階毎に順次連結、組立てているものであるから、作業が極めて煩瑣であり、時間が相当かかった。
【０００４】
【課題を解決する手段】
この発明は、前述の簡易足場の足場組立に於いて、支柱を使用した簡易足場が有する前述の欠陥を除去し、建築現場に於ける作業を容易にし、所望に応じ所要階数上方に接続して建て上げられ、且つ作業員の安全を図る簡易足場及びその組立方法である。
【０００５】
その第１の要旨は、所要幅、奥行き及び長さとを有し、その正面板に切抜口を夫々所要間隔で形成された角パイプと、両端に∩字形懸架具を一体に有し、該角パイプの背面板の下端に水平に固着された懸架用クランプと、該角パイプの該背面板で該懸架用クランプの上部と最上部とに突設され、支柱に把持、固着される支柱固定用下部クランプ及び支柱固定用上部クランプと、同じく該角パイプの該背面板で、該支柱固定用下部クランプの上端と該支柱固定用上部クランプの下部に突設された手摺兼背凭れ用下部クランプ及び手摺兼背凭れ用上部クランプと、該手摺兼背凭れ用下部クランプと、該手摺兼背凭れ用上部クランプとに夫々設けられる手摺兼背凭れと、該角パイプの該切抜口内に嵌合される幅と、踏み板を載せる所要長さとを有する水平板と、その外端を直角に上に曲げた片とを有し、該水平板の内端に該切抜口内に嵌合される該折曲片より相当長い垂直片を固着して前倒れ防止兼固着片を有し、該正面板の該切抜口に嵌合され、且つ該切抜口に嵌合、固着されるＬ字形踏み板用腕木と、所要建物の周囲に垂直に立てられる支柱に把持、固着されるクランプと、該クランプに一端を枢着され、他端に固定板を枢着された所要長さの2本の連結棒を有する該支柱固定金具とから成る簡易足場である。
【０００６】
その第２旨は、該Ｌ字形踏み板用腕木を該角パイプの該切抜口から取外し自在とした事を特徴とする簡易足場である。
【０００７】
その第３旨は、所要建築物の角部の地面に、該建築物から所要距離を隔てて、且つ所要間隔で夫々支柱を垂直に建立する工程と、該支柱の地面上所要高さに、横パイプを連結、固着する工程と、該支柱の地面上所要高さに、該支柱固定金具の該クランプを把持、固着し、該支柱固定用金具の2本の該連結棒先端の該固定板を該建築物の各面に固着する工程と、該角パイプの該背面板で該懸架用クランプの上部と、最上部とに突設された支柱固定用下部クランプ及び支柱固定用上部クランプとを、該支柱に把持、固着する工程と、該横パイプに、該角パイプの該∩字形懸架具を懸架する工程と、該Ｌ字形踏み板用腕木上に、該角パイプの該∩字形懸架具を懸架する工程と、該Ｌ字形踏み板用腕木上に、踏み板を取付ける工程と、該角パイプの該背面板の手摺兼背凭れ用下部クランプ及び同上部クランプとに夫々手摺兼背凭れを固着する工程とから成る簡易足場の組立方法である。
【０００８】
【実施例】
図１〜６に於いて、その第１の要旨である簡易足場は、後述の所要建築物Ｈの周囲、特に角部に設けられる支柱２０、２０  ・・に設けられるものである。そして所要幅、奥行き及び長さとを有する角パイプ１０の正面板１０ａに、所要幅及び長さとを有する切抜口１０ａ´、１０ａ´・・を所要間隔で形成する。
【０００９】
図５、６に於いて、該切抜口１０ａ´内に取外し自在に嵌合される踏み板用腕木は、該切抜口１０ａ´内に嵌合される幅と、後述の踏み板４０を載せる所要長さとを有する水平板１２ａと、その外端を直角に上に曲げた片１２ｂとを有し、該水平板１２ａの内端に該切抜口１０ａ´内に嵌合される該折曲片１２ｂより相当長い垂直片１２ｃを固着して第1、２、３L字形前倒れ防止腕木１２A(B、C)としたものである。
【００１０】
該角パイプ１０の背面板１０ｂの下端に、両端に∩字形懸架具１４ａ、１４ａを一体に有する懸架用クランプ１４を水平に突設する。
【００１１】
同じく該角パイプ１０の該背面板１０ｂで、該懸架具１４ａより上部即ち約８０ｃｍの箇所に、該支柱２０に把持、固着される支柱固定用下部クランプ１６を突設し、同じくその最上部に支柱固定用上部クランプ１６ａを突設する。
【００１２】
該角パイプ１０の該背面板１０ｂで、該支柱固定用下部クランプ１６の上部即ち約１００ｃｍの箇所で、該背面板１０ｂに接近して手摺兼背凭れ用下部クランプ１８を突設し、同じく該支柱固定用上部クランプ１６ａの下方に、該背面板１０ｂに接近して手摺兼背凭れ用上部クランプ１８ａを突設する。
【００１３】
請求項２に於いて、該Ｌ字形踏み板用腕木１２を該角パイプ１０の該切抜口１０ａ´から取外し自在とする。
【００１４】
請求項３記載の簡易足場の組立方法ついて説明する。所要建築物Hから所要距離を隔てて各角部の地面に支柱２０、２０・・を垂直に固着する。
【００１５】
該各支柱２０は、所要直径と長さとを有し、その下端にベースプレート２０ａを嵌合し、地面から所要距離を隔てて、且つ所要高さに、クランプ２２を固着する。
2本の該支柱２０、２０・・の該各クランプ２２、２２に、根絡みパイプ２４を水平に設ける。
【００１６】
該建築物Hの各角部の該支柱２０、２０・・に、支柱（丸パイプ）固定用金具３０、３０を介してこれら支柱２０、２０・・を該建築物Hに垂直に固定する。
【００１７】
該支柱固定用金具３０は、該支柱２０に把持、固着されるクランプ３２の側面に、２本の連結棒３４、３４の一端を枢着し、該各連結棒３４、３４の他端に、釘孔又はボルト孔３６ａ・・・を穿設した固定板３６、３６を夫々固定して成り、該各連結棒３４、３４は、それらの枢着点を支点として部分的に開閉自在としたものであり、該建築物Hの各面に該固定板３６、３６を固着する場合、その角度調節が容易である。
【００１８】
そして、該建築物Hの各面の所要箇所に、該固定板３６、３６を接触させ、各釘孔又はボルト孔３６ａ・・・から該建築物Hの各面に釘を打込み又はボルト（図示せず）を螺合して各支柱２０を垂直に固定する構成とする。
【００１９】
【発明の作用】
（１）前述の通り、この様に構成した簡易足場に於いて、該建築物Hの周囲に該支柱（丸パイプ）固定用金具３０を介して該支柱２０、２０・・・を垂直に建てる。即ち、該支柱（パイプ）固定用金具３０の該クランプ３２の２本の該連結棒３４、３４の該固定板３６、３６を該建築物Hの各面の所要箇所に接触させ、各釘孔又はボルト孔３６ａ・・・から該建築物Hの各面に釘を打込み又はボルトを螺合して各支柱２０、２０・・・を垂直に固定する。
【００２０】
（２）次に、該支柱２０、２０の最下部の該横パイプ（通称布地）２２に、該角パイプ１０の該懸架用クランプ１４の該∩字形懸架具１４ａ、１４ａを懸架する。
【００２１】
（３）その後、該1段目L字形前倒れ防止腕木１２、１２上に、1段目踏み板４０を載せる。
【００２２】
（４）次に、該手摺兼背凭れ用下部クランプ１８、１８に、1段目手摺兼背凭れ（布）（図示せず）を設ける。
【００２３】
（５）該２段目Ｌ字形踏み板用腕木１２、１２上に、２段目踏み板４０を載せる。
【００２４】
（６）該手摺兼背凭れ用上部クランプ１８ａ、１８ａに、２段目手摺兼背凭れ（布）（図示せず）を設ける。
【００２５】
（７）該３段目Ｌ字形踏み板用腕木１２、１２上に、３段目踏み板４０を載せる。
【００２６】
（８）最後に、３段目手摺兼背凭れ（布）（図示せず）を設ける。
【００２７】
【発明の効果】
（１）この発明に係る簡易足場によれば、該建築物Hの周囲に垂直に設けられた該支柱２０、２０の最下部の該横パイプ（通称布地）２２に、該角パイプ１０の該∩字形懸架具１４ａ、１４ａを懸架し、且つ該支柱固定用上部クランプ１６ａとを該支柱２０、に把持、固着するだけで、その取付け及び取外しが極めて容易となる。
【００２８】
（２）第３L字形前倒れ防止腕木１２Aを該角パイプ１０の該切抜口１０ａ´から取外し自在としたので、該踏み板４０の高さの調節を容易にする。
【００２９】
（３）この発明の簡易足場は、建築現場に於ける作業を容易にし、所望に応じ所要階数上方に接続して建て上げられ、作業員の安全を図り、且つ工事期間の短縮に役立つものである。
【図面の簡単な説明】
【００３０】
【図1】  この発明に係る簡易足場を建築物の周囲に設けた状態を示す部分断面側面略図である。
【図２】  図1に示す簡易足場の角パイプの背面板に形成した切抜口にL字形前倒れ防止腕木を嵌合し、該腕木に踏み板を設けた実施例の一部切欠拡大側面略図である。
【図３】  この発明に係る簡易足場を建築物の周囲に設けた状態を示す平面略図である。
【図４】  図３に示す簡易足場に使用する支柱（丸パイプ）固定用金具の拡大平面略図である。
【図５】  この発明に係る簡易足場に使用する角パイプに、踏み板を設けた部分拡大斜視図である。
【図６】  図５に示す角パイプに嵌合、固着するL字形前倒れ防止腕木の斜視図である。
【符号の説明】
【００３１】
H  ・・・  建築物；
１０  ・・・  角パイ；
１０ａ  ・・・  正面板；
１０ａ´  ・・・  切抜口；
１０ｂ  ・・・  背面板；
１２  ・・・  L字形前倒れ防止腕木；
１２ａ  ・・・  水平板；
１２ｂ  ・・・  折曲片；
１２ｃ  ・・・  垂直片；
１２A  ・・・  第1L字形前倒れ防止腕木；
１２B  ・・・  第２L字形前倒れ防止腕木；
１２C  ・・・  第３L字形前倒れ防止腕木；
１４  ・・・  懸架用クランプ；
１４ａ  ・・・  ∩字形懸架具；
１６  ・・・  支柱固定用下部クランプ；
１６ａ  ・・・  支柱固定用上部クランプ；
１８  ・・・  手摺兼背凭れ用下部クランプ；
１８ａ  ・・・  手摺兼背凭れ用上部クランプ；
２０  ・・・  支柱；
２０ａ  ・・・  ベースプレート；
２２  ・・・  クランプ；
２４  ・・・  根絡みパイプ；
３０  ・・・  支柱（丸パイプ）固定用金具；
３２  ・・・  クランプ；
３４  ・・・  連結棒；
３６  ・・・  固定板；
３６ａ  ・・・  釘孔又はボルト孔；
４０  ・・・  踏み板。
【図１】
0003751720.tif 000002
【図２】
0003751720.tif 000003
【図３】
0003751720.tif 000004
【図４】
0003751720.tif 000005
【図５】
0003751720.tif 000006
【図６】
0003751720.tif 000007